【手続補正書】
【提出日】平成20年5月2日(2008.5.2)
【手続補正１】
【補正対象書類名】明細書
【補正対象項目名】特許請求の範囲
【補正方法】変更
【補正の内容】
【特許請求の範囲】
【請求項１】  公衆回線網を介した通信とローカルな通信を行う通信装置において、
ローカル通信機器を検索する検索手段と、
前記検索手段により検索されたローカル通信機器とローカルな通信を行うローカル通信手段とを有し、
前記ローカル通信手段は、第１のローカル通信機器とのローカルなデータ通信中に、公衆回線網からデータ通信を要求する着信があった場合、第１のローカル通信機器とのローカルなデータ通信を切断し、前記検索手段により検索された第２のローカル通信機器が公衆回線網からのデータ通信を要求する着信に応答するように、前記検索手段により検索された第２のローカル通信機器とローカルな通信を行うことを特徴とする通信装置。
【請求項２】  請求項１において、
第１のローカル通信機器とのローカルなデータ通信中に、公衆回線網からのデータ通信を要求する着信があった場合、第１のローカル通信機器とのローカルなデータ通信を切断するための指示を入力する入力手段を更に有することを特徴とする通信装置。
【請求項３】  請求項１において、
前記ローカル通信手段は、第１のローカル通信機器とのローカルなデータ通信中に、公衆回線網から音声通話を要求する着信があった場合、第１のローカル通信機器とのローカルなデータ通信を保持したまま、前記検索手段により検索された第２のローカル通信機器が公衆回線網から音声通話を要求する着信に応答するように、前記検索手段により検索された第２のローカル通信機器とローカルな通信を行うことを特徴とする通信装置。
【請求項４】  ローカル通信機器を検索し、検索したローカル通信機器とローカルな通信を行う通信方法において、
第１のローカル通信機器とのローカルなデータ通信中に、公衆回線網からのデータ通信を要求する着信があった場合、第１のローカル通信機器とのローカルなデータ通信を切断し、検索された第２のローカル通信機器が公衆回線網からのデータ通信を要求する着信に応答するように、検索された第２のローカル通信機器とローカルな通信を行うことを特徴とする通信方法。
【請求項５】  ローカル通信機器を検索し、検索したローカル通信機器とローカルな通信を行う通信手順をコンピュータに実行させるためのプログラムにおいて、
第１のローカル通信機器とのローカルなデータ通信中に、公衆回線網からのデータ通信を要求する着信があった場合、第１のローカル通信機器とのローカルなデータ通信を切断する手順と、検索された第２のローカル通信機器が公衆回線網からのデータ通信を要求する着信に応答するように、検索された第２のローカル通信機器とローカルな通信を行う手順を、コンピュータに実行させるためのプログラム。
【手続補正２】
【補正対象書類名】明細書
【補正対象項目名】０００９
【補正方法】変更
【補正の内容】
【０００９】
【課題を解決するための手段】
そこで、本発明によれば、公衆回線網を介した通信とローカルな通信を行う通信装置において、ローカル通信機器を検索する検索手段と、前記検索手段により検索されたローカル通信機器とローカルな通信を行うローカル通信手段とを有し、前記ローカル通信手段は、第１のローカル通信機器とのローカルなデータ通信中に、公衆回線網からデータ通信を要求する着信があった場合、第１のローカル通信機器とのローカルなデータ通信を切断し、前記検索手段により検索された第２のローカル通信機器が公衆回線網からのデータ通信を要求する着信に応答するように、前記検索手段により検索された第２のローカル通信機器とローカルな通信を行うことにより、第１のローカル通信機器とのローカルなデータ通信中の公衆回線網からのデータ通信を要求する着信に、第２のローカル通信機器により応答することができる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００３２
【補正方法】変更
【補正の内容】
【００３２】
図６に於いて、２０１は、本発明を実施している携帯電話１０１の表示部を示す。表示部２０１は、図３、図４、図５の表示を行う。
【手続補正６】
【補正対象書類名】明細書
【補正対象項目名】００３４
【補正方法】変更
【補正の内容】
【００３４】
２３０は、ＣＰＵであり、２４０は、ＣＰＵ２３０のプログラムを記憶したメモリである。ＣＰＵ２３０は、コンピュータであり、メモリ２４０は、ＣＰＵ２３０のプログラムを、ＣＰＵ２３０により読み出し可能に記憶した記憶媒体である。図７、図８は、このプログラムの一部を表わす。
【手続補正７】
【補正対象書類名】明細書
【補正対象項目名】００４２
【補正方法】変更
【補正の内容】
【００４２】
このイメージング端末検索結果画面３０３で、ユーザーはスイッチ２０５を操作し、カーソルを所望のイメージングデバイス（今回はデジタルスティールカメラ１０２（図３では、３０８）を選択するものとする）にあわせ、ローカル通信モード操作スイッチ２０４を押すと、ローカル無線部２６０は、デジタルスティールカメラ１０２からイメージ操作機能を獲得し、携帯電話１０１の表示画面２０１は、イメージ操作機能の一覧表示画面３０４へと切り替わる。
【手続補正８】
【補正対象書類名】明細書
【補正対象項目名】００４３
【補正方法】変更
【補正の内容】
【００４３】
ここで、ユーザーがイメージ操作として行いたい機能としてブラウジング３０９を、スイッチ２０５及びローカル通信モード操作スイッチ２０４で選択すると、携帯電話１０１は、ローカル無線部２６０を用いて、デジタルスチィールカメラ１０２との間で無線接続動作を行い、ローカル通信モード状態に移行する。
【手続補正９】
【補正対象書類名】明細書
【補正対象項目名】００５２
【補正方法】変更
【補正の内容】
【００５２】
ここで、公衆無線部２５０での着信内容がＰＰＰ等のデータ通信機能を要求している場合は、ローカル通信モードにおいて既にデータ通信に必要なプロトコル（機能）が使用されているので、携帯電話１０１のＣＰＵ２３０は、ローカル通信モードの制御選択画面４０３を表示し、ユーザーからの指示を待機する。この時、表示画面４０３上に着信要求の種類としてパケット通信要求と表示することも可能である。
【手続補正１０】
【補正対象書類名】明細書
【補正対象項目名】００５３
【補正方法】変更
【補正の内容】
【００５３】
ここで、画面４０３において、操作部２２０から、着信拒否が選択された場合は（Ｓ１００）、公衆無線部２５０は、フックオン動作を行い（Ｓ１１０）、着信を拒否する応答を返す。そして、画面をローカル通信モードで使用していた前の画面４０２に戻し、ローカル通信が終了されるまで、デジタルスティールカメラ１０２とのローカル通信を継続する（Ｓ１２０）。ローカル通信が終了されると（Ｓ１３０）、ローカル無線部２６０は、ローカル通信切断動作を行う（Ｓ１４０）。なお、Ｓ１１０でフックオン動作を行った場合、Ｓ２０へ戻って、次の着信に備えてもよい。
【手続補正１１】
【補正対象書類名】明細書
【補正対象項目名】００５７
【補正方法】変更
【補正の内容】
【００５７】
ローカル通信モード選択画面４０４でＰＣ１０３が選択されると、ローカル無線部２６０は、前述デジタルスティールカメラの機能一覧表示と同様に、ＰＣ１０３でサポートされている機能一覧をＰＣ１０３から獲得して、表示部２０１に表示する。
【手続補正１２】
【補正対象書類名】明細書
【補正対象項目名】００５８
【補正方法】変更
【補正の内容】
【００５８】
その中からデータ通信機能が選択されると、ローカル無線部２６０は、このＰＣ１０３とのローカル通信接続動作を行い（Ｓ２３０）、公衆無線部２５０は、着信に応答し、通信制御部２７０は、ローカル無線部２６０と公衆無線部２５０を接続し、ＰＣ１０３と無線公衆網１１０からの着信相手とのコネクションを確立する。
【手続補正１３】
【補正対象書類名】明細書
【補正対象項目名】００６２
【補正方法】変更
【補正の内容】
【００６２】
まず、前述と同様に、Ｓ２０において、ユーザーが携帯電話１０１を用いてデジタルスティールカメラ１０２のデータをブラウジング操作しているときに、Ｓ１０で、無線公衆回線網１１０から着呼があった場合、携帯電話１０１はローカル通信モードの処理において、前述と同様に、Ｓ５０で、着信表示を行った後、ユーザーからの通話スイッチ２０２操作を待機する。
【手続補正１４】
【補正対象書類名】明細書
【補正対象項目名】００６６
【補正方法】変更
【補正の内容】
【００６６】
この選択動作が行われると、携帯電話１０１は、ローカル無線部２６０を用いて、現在のデジタルスティールカメラ１０２とのローカル通信の状態を保持したまま、新たにヘッドセットとの間でローカル通信接続を行う（Ｓ３２０）。一方、公衆無線部２５０は、着信に応答し、通信制御部２７０は、ローカル無線部２６０と公衆無線部２５０を接続し、ヘッドセット１０４と無線公衆網１１０からの着信相手とのコネクションを確立する。
【手続補正１５】
【補正対象書類名】明細書
【補正対象項目名】００６９
【補正方法】変更
【補正の内容】
【００６９】
デジタルスティールカメラ１０２のイメージブラウジングとヘッドセット１０４を用いた音声通信の両方が終了すると、全ローカル通信の終了をＳ３６０で判断して、ローカル通信モードを終了する。
【手続補正１６】
【補正対象書類名】明細書
【補正対象項目名】００７３
【補正方法】変更
【補正の内容】
【００７３】
Ｓ３１０で、この画面が表示された後ユーザーが、スイッチ２０５およびローカル通信モード操作スイッチ２０４操作により新たなローカル通信端末を選択すると、携帯電話１０１は、選択された通信機器がサポートする機能一覧を表示し、その中で選択された機能にしたがって選択された機器とローカル通信接続を行う。
【手続補正１７】
【補正対象書類名】明細書
【補正対象項目名】００７４
【補正方法】変更
【補正の内容】
【００７４】
【発明の効果】
以上説明したように、第１のローカル通信機器とのローカルなデータ通信中に、公衆回線網からデータ通信を要求する着信があった場合、第２のローカル通信機器により、応答することができる。
【手続補正１８】
【補正対象書類名】明細書
【補正対象項目名】００７５
【補正方法】変更
【補正の内容】
【００７５】
また、第１のローカル通信機器とのローカルなデータ通信を切断するための指示を入力する入力手段を有することにより、ユーザーは容易に、着信に応答するか選択できる。
【手続補正１９】
【補正対象書類名】明細書
【補正対象項目名】００７６
【補正方法】変更
【補正の内容】
【００７６】
また、音声通信を要求する着信には、現在行っているローカル通信操作を中断することなく対応できる。
【手続補正２０】
【補正対象書類名】明細書
【補正対象項目名】００７７
【補正方法】削除
【補正の内容】